(57)【要約】　　　（修正有）【課題】蓋体が嵌合された容器本体からの蓋体の取り外しを極力容易にすること。【解決手段】容器本体１の上部周縁の全周には、外周立上り片３と内周立上り片４とが形成され、且つ蓋体１１の周縁部の全周には、容器本体の外周立上り片と内周立上り片間の溝部５に挿入可能な立下り片１２が形成されてなるとともに、内周立上り片の上端部４ａに外嵌される凹部１６が形成され、外周立上り片に破断片６が破断可能に連設され、破断片６が破断された部分において蓋体の立下り片の下端部１２ａが裸出するように構成され、しかも蓋体の立下り片の下端部には係止片１３が外向きに突設されてなるとともに、係止片１３に係止可能な広幅な係止片１０が、容器本体の外周立上り片の内周面側の少なくとも２箇所に部分的に形成される。【選択図】　　図２
2004001815.tif 000002
【特許請求の範囲】
【請求項１】
上面に開口部（２）を有する容器本体（１）と、該容器本体（１）に嵌合可能な蓋体（１１）とからなる密閉容器において、前記容器本体（１）の上部周縁の全周には、外周立上り片（３）と内周立上り片（４）とが形成され、且つ前記蓋体（１１）の周縁部の全周には、前記容器本体（１）の外周立上り片（３）と内周立上り片（４）間の溝部（５）に挿入可能な立下り片（１２）が形成されてなるとともに、前記容器本体（１）の内周立上り片（４）の上端部（４ａ）に外嵌される凹部（１６）が形成され、前記容器本体（１）の外周立上り片（３）に破断片（６）が破断可能に連設され、該破断片（６）が破断された部分において前記蓋体（１１）の立下り片（１２）の下端部（１２ａ）が裸出するように構成され、しかも前記蓋体（１１）の立下り片（１２）の下端部（１２ａ）には係止片（１３）が外向きに突設されてなるとともに、該係止片（１３）に係止可能な広幅な係止片（１０）が、前記容器本体（１）の外周立上り片（３）の内周面側　の少なくとも２箇所に部分的に形成されてなることを特徴とする密閉容器。
【請求項２】
蓋体（１１）の立下り片（１２）の係止片（１３）に係止可能な係止片（９）が破断片（６）の内面側に形成されてなるとともに、前記係止片（１３）に係止可能な係止片（１０）が、前記外周立上り片（３）の内周面側の２箇所に、前記破断片（６）の内面側の係止片（９）とほぼ等角間隔を隔てて形成されている請求項１記載の密閉容器。
【発明の詳細な説明】
【０００１】
【発明の属する技術分野】
本発明は、密閉容器、さらに詳しくは、容器本体と蓋体とからなる合成樹脂製の容器であって、密閉状態を維持した状態で、食品，その他ペースト状，粉末状のものを収納する密閉容器に関する。
【０００２】
【従来の技術】
従来、この種の密閉容器としては、たとえば実開昭５５−５３７５７号，実開昭５６−４６５５４号，実開昭５８−１４３３３７号等に記載のものがある。
【０００３】
すなわち、これらの密閉容器は、図１３に示すように、上面に開口部２ｂを有する容器本体１ｂと、該容器本体１ｂの上端部１８に嵌合可能な嵌合溝１９を有する蓋体１１ｂとからなり、該容器本体１ｂの上部外周面に環状の突起２０が形成されてなるとともに、該突起２０が係合可能な係合凹部２１が前記蓋体１１ｂの嵌合溝１９内の内壁面に形成され、且つ該係合凹部２１が形成された嵌合溝１９の内壁面の薄肉部分がシール解除部２２として形成され、該シール解除部２２より下部を切除することによって前記蓋体１１ｂが容器本体１ｂから取り外されて開封可能に構成されたものである。
【０００４】
【発明が解決しようとする課題】
しかしながら、上記のような従来の密閉容器は、シール解除部２２より下部を切除しない限り、開封できないような構造には一応形成されているが、場合によっては、蓋体１１ｂの端縁を鋭利な刃物等でこじ開ければ、不用意に開口するおそれもある。
【０００５】
そこで、本発明者等は、このような問題点を解決するために、特開平９−２２６７９６号の発明をなした。
【０００６】
この発明に係る密閉容器は、図１４及び図１５に示すように、容器本体１ｃの上部周縁に、外周立上り片３ｃと内周立上り片４ｃとを形成し、且つ前記蓋体１１ｃの周縁部に、前記容器本体１ｃの外周立上り片３ｃと内周立上り片４ｃ間の溝部５ｃに挿入可能な立下り片１２ｃを形成するとともに、前記容器本体１ｃの内周立上り片４ｃの上端部４ｄに圧入される圧入凹部１６を形成し、しかも容器本体１の外周立上り片３に破断片６を破断可能に連設し、該破断片６が破断された部分において前記蓋体１１ｃの立下り片１２の下端部１２ｄが裸出するように構成したものである。
【０００７】
この容器は、蓋体１１ｃが容器本体１ｃに嵌合された状態において、蓋体１１ｃの立下り片１２ｃが容器本体１ｃの外周立上り片３ｃと内周立上り片４ｃ間の溝部５ｃに挿入されることとなるため、容器本体の立下り片の下端部に鋭利な刃物等を引っかける部分がなく、従って、その鋭利な刃物等でこじあけても不用意に開口することがなく、密閉容器としての密閉状態を確実に維持することができる。
【０００８】
ところで、図１３に示すような密閉容器は、上記のようなシール解除部２２より下部の全周をめくるようにしてシール解除部２２より下部を切除するものであるため、シール解除部２２より下部が切除されさえすれば、蓋体１１ｂは容器本体１ｂから容易に取り外すことができる。
【０００９】
しかし、上記図１４及び図１５に示す密閉容器は、破断片６が破断されて蓋体１１ｂの立下り片１２ｃの下端部１２ｄが裸出した部分において、その裸出した下端部１２ｄを持ち上げて蓋体１１ｂを容器本体１ｂから取り外す構造となっているため、上記従来の密閉容器のようにシール状態が全周にわたって解除されているわけではない。
【００１０】
その一方で、容器本体１ｃの内周立上り片４ｃの上端部４ｄは、その全周が圧入凹部１６に圧入されているため、その圧入された状態に抗して立下り片１２ｃの下端部１２ｄの裸出部分を押し上げる必要がある。従って、容器本体１ｃからの蓋体１１ｂの取り外しが必ずしもスムーズに行えない場合もある。
【００１１】
本発明は、上記のように、蓋体が容器本体に嵌合された状態において、蓋体の立下り片が容器本体の外周立上り片と内周立上り片間の溝部に挿入され、容器本体の立下り片の下端部に刃物等を引っかける部分がなく、しかも破断片が破断されて蓋体の立下り片の裸出した下端部のみを持ち上げて蓋体を容器本体から取り外すという全周シールを解除する必要のない構造でありながら、容器本体からの蓋体の取り外しを極力容易にすることを課題とするものである。
【００１２】
【課題を解決するための手段】
本発明は、このような課題を解決せんとしてなされたもので、その課題を解決するための手段は、上面に開口部２を有する容器本体１と、該容器本体１に嵌合可能な蓋体１１とからなる密閉容器において、前記容器本体１の上部周縁の全周には、外周立上り片３と内周立上り片４とが形成され、且つ前記蓋体１１の周縁部　の全周には、前記容器本体１の外周立上り片３と内周立上り片４間の溝部５に挿入可能な立下り片１２が形成されてなるとともに、前記容器本体１の内周立上り片４の上端部４ａに外嵌される凹部１６が形成され、前記容器本体１の外周立上り片３に破断片６が破断可能に連設され、該破断片６が破断された部分において前記蓋体１１の立下り片１２の下端部１２ａが裸出するように構成され、しかも前記蓋体１１の立下り片１２の下端部には、係止片１３が外向きに突設されてなるとともに、該係止片１３に係止可能な広幅な係止片１０が、前記容器本体１の外周立上り片３の内周面側の少なくとも２箇所に部分的に形成されてなることである。
【００１３】
より好ましくは、蓋体１１の立下り片１２の下端部に係止可能な広幅な係止片１０が、破断片６の位置を含む外周立上り片３の内周面側の３箇所にほぼ等間隔に形成される。
【００１４】
すなわち、蓋体１１の周縁部の立下り片１２は、容器本体１の外周立上り片３と内周立上り片４間の溝部５に挿入可能に形成されているため、蓋体１１が容器本体１に嵌合された状態においては、蓋体１１の周縁部の立下り片１２が容器本体１の外周立上り片３と内周立上り片４間の溝部５に挿入されることとなるため、蓋体１１の立下り片１２の下端部１２ａに刃物等を引っかける部分がなく、従って、その鋭利な刃物等でこじ開けても不用意に開口することもないのである。
【００１５】
一方、蓋体１３を容器本体１から取り外す場合には、先ず破断片６を外周立上り片３から破断する。
【００１６】
このように破断片６を外周立上り片３から破断すると、破断片６が破断された部分において蓋体１１の立下り片１２の下端部１２ａが裸出することとなり、その裸出した立下り片１２の下端部１２ａを持ち上げることによって蓋体１１を容器本体１から取り外すことが可能となるのである。
【００１７】
一方、蓋体１１に形成された凹部１６は、容器本体１の内周立上り片４の上端部４ａに外嵌されるだけであり、上記図１４及び図１５の密閉容器のように圧入されているわけではないので、容器本体１からの蓋体１１の取り外しも抵抗なく容易に行うことができる。
【００１８】
その一方で、蓋体１１の立下り片１２の下端部１２ａには、係止片１３が外向きに突設されてなるとともに、該係止片１３に係止可能な広幅な係止片１０が、容器本体１の外周立上り片３の内周面側の少なくとも２箇所に部分的に形成されてなるため、これらの係止片が相互に係止されることで、密閉状態が損なわれることもないのである。
【００１９】
特に、破断片６の内面側に係止片９を形成するとともに、外周立上り片３の内周面側の２箇所に、破断片６の内面側の係止片９とほぼ等角間隔を隔てて係止片１０，１０を形成した場合には、等角間隔に位置する計３箇所の係止片９，１０，１０と係止片１３との係合状態を安定した状態で維持することができる。
【００２０】
【発明の実施の形態】
以下、本発明の実施の形態について図面に従って説明する。
【００２１】
図１乃至図７において、１は上面に開口部２を有する有底略円筒状のポリプロピレン製の容器本体で、該容器本体１の上部周縁には、外周立上り片３と内周立上り片４とが形成され、且つその外周立上り片３と内周立上り片４間には溝部５が形成されている。そして、内周立上り片４の上縁４ａは、外周立上り片３の上縁３ａよりも高く形成されている。
【００２２】
６は、前記外周立上り片３に左右一対の連設部７，７を介して破断可能に連設された破断片で、その破断片６は、外向きに突設された摘み片８を具備して図４に示すように断面逆Ｌ字状に形成されている。
【００２３】
そして、前記破断片６の内面側には、係止片９が内向きに突設されている。
【００２４】
さらに、該係止片９が形成された位置と約１２０度の角度をなすように、外周立上り片３の内面側に、広幅な２条の係止片１０，１０が内向きに突設されている。
つまり、容器本体１の外周立上り片３側に計３条の係止片９，１０，１０が、正三角形の頂点をなすように、ほぼ等角間隔に形成されていることとなる。
【００２５】
１１は、前記容器本体１に嵌合可能なポリプロピレン製の蓋体で、平面略円形に形成されている。１２は、前記蓋体１１の周縁部に形成された立下り片で、前記容器本体１の外周立上り片３と内周立上り片４間の溝部５に挿入可能に形成されてなる。
【００２６】
１３は、前記立下り片１２の下端部全周に外向きに突設された係止片で、前記容器本体１の破断片６の内面側の係止片９と、外周立上り片３の内面側の広幅な係止片とに係合可能に形成されている。
【００２７】
１４は、前記立下り片１２の近傍の蓋体１１の裏面側に形成された凹部で、前記容器本体１の内周立上り片４の上端部４ａに外嵌されるように形成されている。１５，１５は、前記破断片６の位置の目印となる目印用突片で、図２に示すように破断片６の両側に位置して外向きに突設されている。
【００２８】
１６は、前記蓋体１１の凹部１４とは反対側の上面に上向きに突設された突出部で、その片側の傾斜面１６ａは、立下り片１２の下端部内面側の傾斜面１２ｂとほぼ同角度に形成されている。
【００２９】
そして、上記のような蓋体１１の立下り片１２が容器本体１の溝部５に挿入され、且つ容器本体１の内周立上り片４の上端部４ａに蓋体１１の凹部１４内に外嵌されることよって図１乃至図５のように容器本体１と蓋体１１とが嵌合状態となる。
【００３０】
このとき、蓋体１１の立下り片１２に形成された係止片１３が、容器本体１の破断　片６の係止片９と、外周立上り片３の広幅の係止片１０とにそれぞれ係止される。
【００３１】
従って、容器本体１の破断片６及び外周立上り片３に、正三角形の頂点をなすようにほぼ等角間隔に配置して形成された３条の係止片９，１０，１０に蓋体１１の係止片１３が係合されていることによって、容器本体１と蓋体１１との嵌合状態が安定した状態で確実に維持されることとなるのである。
【００３２】
また、蓋体１１の下端部の全周縁がすべて容器本体１の外周立上り片３（破断片６を含む）と内周立上り片４間の溝部５に挿入されているため、蓋体１１の下端部が外部に裸出することがない。
【００３３】
従って、蓋体１１の立下り片１２と容器本体１の溝部５との嵌合部分の近傍においては、引っ掛かりの部分が全く存在せず、よってたとえば鋭利な刃物等を蓋体１１の立下り片１２に引っ掛けて蓋体１１をこじ開けようとしても、蓋体１１を容器本体１から取り外すことはできないのである。
【００３４】
一方、蓋体１１を容器本体１から取り外す場合には、先ず図８及び図９に示すように、１対の連設部７，７のうちの一方の連設部７の位置で破断片６の一端側を容器本体１の外周立上り片３から切り取る。
【００３５】
このようにして破断片６の一端側が破断されれば、破断片６の他端側がたとえ外周立上り片３に連設されていたとしても、図８に示すように破断片６を外向きに開くことによって蓋体１１の立下り片１２の下端部１２ａは図９に示すように外部に裸出することとなる。
【００３６】
従って、その破断片６が破断された部分において、図１０に示すように、指１７等で蓋体１１の立下り片１２の下端部１２ａを把持することが可能となる。
【００３７】
しかも、上記のように破断片６の一端側が破断されることによって、その破断片６の内面側の係止片９と、蓋体１１の係止片１３との係合状態が解除されることとなる。
【００３８】
よって、図９に示すように指１７等で把持した蓋体１１の立下り片１２の下端部１２ａを持ち上げることによって、蓋体１１の立下り片１２と容器本体１の溝部５との嵌合状態を解除しつつ、蓋体１１を容器本体１から離脱させることが可能となる。
【００３９】
この場合において、外周立上り片３に形成された他の２条の係止片１０，１０と蓋体１１の係止片１３との係合状態は未だ解除されてはいないが、蓋体１１が可撓性のあるポリプロピレンで構成されており、しかも広幅な２条の係止片１０，１０は、外周立上り片３の全周ではなく部分的にのみ形成されているため、蓋体１１を強制的に持ち上げることによって、蓋体１１の立下り片１２と容器本体１の溝部５との係合状態の解除も容易に行うことができるのである。
【００４０】
また、容器本体１の外周面側であって前記破断片６と対面する位置には凹部２３が形成されているため、指１７で蓋体１１の立下り片１２の下端部１２ａを把持する際に容器本体１の外周部分が支障となることもなく、その下端部１２ａを把持して蓋体１１を持ち上げる作業を容易に行うことができるのである。
【００４１】
さらに、破断片６の両側には、目印用突片１５，１５が外向きに突設されているため、その破断片６の位置を容易に確認することができる。すなわち、破断片６のみでもその位置を探索するのは不可能ではないが、破断片６の縁部が蓋体１１の　周縁部と同心円状に形成されているため、その位置の探索は不慣れな使用者にとっては必ずしも容易ではない。しかし、上記のような目印用突片１５，１５が形成されていることによって、その目印用突片１５，１５間に破断片６が存在することが直ちに確認できるのである。
【００４２】
さらに、取り外した蓋体１１は、図１２に示すように、スタッキング、すなわち重ね合わせることができる。すなわち、蓋体１１の凹部１４の上部に突出部１６が上向きに突設され、その突出部１６の片側の傾斜面１６ａと、立下り片１２の下端部内面側の傾斜面１２ｂとがほぼ同角度に形成されているため、図１２に示すように、立下り片１２の傾斜面１２ｂと突出部１６の傾斜面１６ａとが好適に接触することとなり、容易にスタッキングすることができるのである。
【００４３】
尚、上記実施形態では、破断片６の内面側には係止片９が内向きに突設されているとともに、該係止片９が形成された位置と約１２０度の角度をなすように、外周立上り片３の内面側に２条の係止片１０，１０が内向きに突設されていたため、すなわち計３条の係止片９，１０，１０が、正三角形の頂点をなすように、ほぼ等角間隔に形成されていたため、上記のような好ましい効果が得られたが、係止片９，１０，１０を形成する位置は上記実施形態に限定されるものでない。
【００４４】
また、係止片１０の数も該実施形態の２箇所に限らず、３箇所以上に形成されていてもよい。要は、外周立上り片３の内周面側の少なくとも２箇所に広幅な係止片１０が形成されていればよいのである。
【００４５】
ただし、この少なくとも２箇所の係止片１０は、破断片６の係止片９と対向しないような位置に形成されていることが好ましい。
【００４６】
また、上記実施形態では、容器本体１及び蓋体１１がともにポリプロピレンで構成されていたが、容器本体１や蓋体１１の素材はこれに限らず、たとえばポリエチレンで構成されていてもよい。
【００４７】
ただし、蓋体１１を強制的に持ち上げることによって蓋体１１の立下り片１２と容器本体１の溝部５との係合状態を解除するためには、蓋体１１は可撓性を有することが好ましい。
【００４８】
さらに、上記実施形態では、１対の連設部７，７のうち、一方の連設部７のみで破断片６を破断して蓋体１１の立下り片１２を裸出させたが、これに限らず、双方の連設部７，７で破断片６を破断して、その破断片６を立下り片１２から完全に除去することも可能であり、この場合でも蓋体１１の立下り片１２は裸出することとなるため、指等で把持して蓋体１１を容器本体１から離脱させることが可能となるのである。
【００４９】
ただし、蓋体１１の立下り片１２を裸出すればたりるのであるから、上記実施形態のように一方の連設部７のみで破断片６を破断して、その破断片６を外向きに開くことで目的は達成される。
【００５０】
さらに、容器本体１や蓋体１１の形状も上記実施形態のような平面略円形に限定されるものではなく、たとえば四角形のような形状のものであってもよい。
【００５１】
【発明の効果】
以上のように、本発明においては、蓋体の立下り片の下端部に係止片を外向きに突設するとともに、該係止片に係止可能な広幅な係止片を、容器本体の外周立上り片の内周面側の少なくとも２箇所に部分的に形成されてなるため、従来のように、容器本体の内周立上り片の上端部に蓋体の圧入凹部を圧入するような構造ではなく、単に嵌入されるだけの構造であるにもかかわらず、上記少なくとも２箇所の係止片が蓋体の立下り片の係止片に係止されることで、その係合状態を安定した状態で確実に維持することができ、密閉状態が損なわれることもないという効果がある。
【００５２】
特に、破断片の内面側に係止片を形成するとともに、外周立上り片の内周面側の２箇所に、破断片の内面側の係止片とほぼ等角間隔を隔てて係止片を形成した場合には、等角間隔に位置する計３箇所の容器本体の係止片と、蓋体の係止片との係合状態を一層安定した状態に維持することができる。
【００５３】
また、蓋体に形成された凹部は、容器本体の内周立上り片の上端部に外嵌されるだけであって圧入されているわけではなく、しかも広幅な２条の係止片は、外周立上り片の全周ではなく部分的にのみ形成されているため、蓋体を強制的に持ち上げることによって、容器本体からの蓋体の取り外しも抵抗なく容易に行うことができるという効果がある。
【００５４】
また、蓋体が容器本体に嵌合された状態において蓋体の周縁部の立下り片が容器本体の外周立上り片と内周立上り片間の溝部に挿入されることとなるため、従来と同様に、容器本体の立下り片の下端部に刃物等を引っかける部分がないのでこじ開けて不用意に開口することがないという効果がある。
【図面の簡単な説明】
【図１】一実施形態の密閉容器の正面図。
【図２】同平面図。
【図３】図２のＡ−Ａ線端面図。
【図４】図２のＢ−Ｂ線拡大端面図。
【図５】図２のＣ−Ｃ線拡大端面図。
【図６】蓋体の平面図。
【図７】容器本体の平面図。
【図８】破断片を破断した状態の平面図。
【図９】図８のＤ−Ｄ線拡大端面図。
【図１０】蓋体を容器本体から離脱させる状態を示す要部拡大端面図。
【図１１】蓋体を容器本体から取り外した状態の容器本体の平面図。
【図１２】蓋体をスタッキングした状態の要部拡大端面図。
【図１３】従来の蓋体と容器本体との嵌合構造を示す要部拡大端面図。
【図１４】従来の蓋体と容器本体との嵌合構造を示す要部拡大端面図。
【図１５】従来の蓋体と容器本体との嵌合構造を示す要部拡大端面図。
【符号の説明】
１…容器本体　　　　　２…開口部
３…外周立上り片　　　４…内周立上り片
５…溝部　　　　　　　６…破断片
９…係止片　　　　　　１０…係止片
１１…蓋体　　　　　　　１２…立下り片
１３…係止片　　　　　　　　　　　　１６…凹部
【図１】
2004001815.tif 000003
【図２】
2004001815.tif 000004
【図３】
2004001815.tif 000005
【図４】
2004001815.tif 000006
【図５】
2004001815.tif 000007
【図６】
2004001815.tif 000008
【図７】
2004001815.tif 000009
【図８】
2004001815.tif 000010
【図９】
2004001815.tif 000011
【図１０】
2004001815.tif 000012
【図１１】
2004001815.tif 000013
【図１２】
2004001815.tif 000014
【図１３】
2004001815.tif 000015
【図１４】
2004001815.tif 000016
【図１５】
2004001815.tif 000017